(57)【要約】      （修正有）【課題】本発明は、長襦袢として使用でき、半衿と付け袖と裾除けを取り外せば洋装用Ｔシャツ単体として着用もるでき、裾除けも洋装用巻きスカートにした、洋装と和装の両方に活用できる女性用長襦袢を提供する。【解決手段】着脱可能なＴシャツ、半衿、付け袖、巻きスカートから構成する和装・洋装両面で使用可能な女性用長襦袢において、Ｔシャツは伸縮性の薄手ジャージー生地を使用し、Ｔシャツの衿と袖に前記半衿と付け袖を取り付けるためのレース様細紐を縫い付け、半衿は芯カバーと芯及びＴシャツに設けたレース様細紐のボタン穴に装着するための複数のボタンから構成し、前記付け袖は前記Ｔシャツの袖部のレース様細紐のボタン穴に接合する複数のボタンを肩口に設け、巻きスカートは上部に胴に巻き付けるための腰紐と内側布を設けて構成し、付け袖と巻きスカートはセルロース繊維の生地を用いたことを特徴とする和装洋装兼用長襦袢。【選択図】  図５
2006312801.tif 000002
【特許請求の範囲】
【請求項１】
着脱可能なＴシャツ、半衿、付け袖、巻きスカートから構成する和装・洋装両面で使用可能な女性用長襦袢において、前記Ｔシャツは伸縮性のある薄手ジャージー生地を使用し、Ｔシャツの衿と袖に前記半衿と付け袖を取り付けるためのレース様細紐を縫い付け、前記半衿は芯カバーと芯及び前記Ｔシャツに設けた細紐レースのボタン穴に装着するための複数のボタンから構成し、前記付け袖は前記Ｔシャツの袖部のボタン穴に接合する複数のボタンを肩口に設けて構成し、前記巻きスカートは上部に胴に巻き付けるための腰紐を設けて構成し、前記の付け袖と巻きスカートはセルロース繊維の生地を用い、前記Ｔシャツと付け袖及び巻きスカートは色柄を配することを特徴とする女性用和装洋装兼用長襦袢。
【発明の詳細な説明】
【技術分野】
【０００１】  本発明は、着脱可能なＴシャツ、半衿、付け袖及び巻きスカートから構成する和装・洋装兼用女性用長襦袢に関するものである。
【背景技術】
【０００２】  従来の女性用着物としては、肌襦袢と裾除けを着用した上に長襦袢に半衿を付けたものを着て、その上に長着を着ることになる。このような、半衿を縫合し数枚の肌着類を重ね合わせて伊達締めや胸紐で止めるなどの着付けの煩雑さから、これまでにも簡便に着つけられる方法が試みられてきた。例えば、特許文献１には半衿について、特許文献２には長襦袢について、特許文献３には襦袢の袖について、簡便な着用のための試みが記載されている。【０００３】
【特許文献１】  特開平０９−３１７０２号公報
【特許文献２】  特開平０８−３２５８０３号公報
【特許文献３】  特開平１１−３０２９０１号公報
【発明の開示】
【発明が解決しようとしている課題】
【０００４】  簡便な着用のための従来技術は、いずれも止め付けテープあるいはファスナー等を用い、旧来の半衿や長襦袢を改良しようとするもので、それのみでは外出することのできない肌着としての用途に限られていた。
【０００５】  また、長襦袢は長着の裏の汚れ防止と保温の役目で着用され、その下に着る肌襦袢や裾除けも同様であるが、主生地に正絹を用いたものは家庭での洗濯が困難であり、また化繊のものは静電気が発生し易いため、滑りが悪く着難い欠点があった。
【０００６】  生活様式の変化とともに女性の服装は大半が洋風化しているが、和の文化が再認識されつつある中、それに伴って和装も見直されつつある。しかし、紐類を多用する着付けは初心者には難しく、着装法を知る人でもその煩雑さから日常的な着用には敬遠され勝ちである。着物といえども、現在生活に適した、より着易く、日常生活の中でより活動し易く、かつ手入れが簡単でおしゃれであることが求められている。
【０００７】  本発明は、上記のような技術の現状に鑑みてなされたものであり、洋装用外出着としても使え、家庭での洗濯が容易で、静電気が発生し難く、より着易く、動き易く、かつ手入れが簡単な和装・洋装兼用女性用長襦袢を提供しようとするものである。
【課題を解決するための手段】
【０００８】  上記課題を解決するために、本発明の和装・洋装兼用可能な女性用長襦袢は、着脱可能なＴシャツ、半衿、付け袖、巻きスカートから構成する。前記Ｔシャツは、伸縮性のある薄手ジャージー生地を使用し、深めの後ろ衿ぐりと、袖を有した身体にフィットした形状で、胸部の切り換え線の上部は通常の襦袢の衿と同様に右前身頃の上に左前身頃を重ね合わせ、胸部切り換え線から下部は両脇で前後身頃を縫い合わせた胴部をなす。衿ぐりに１列、袖には数列の装飾を兼ねたレース様の細紐を縫い付けて、単体でも洋装として使用できる。
【０００９】  前記半衿は、芯カバーとプラスチックなどの芯及び複数のボタンから構成する。芯カバーは長方向に２つ折りにした生地を数ヶ所縫い止まりにして開きを設けながら筒縫いにし、この筒穴に、例えば帯状の長辺の一方に複数のボタンを取り付けた芯を通す。そして新カバーの各縫い止まりの開きからボタンを取出し、前記Ｔシャツの衿ぐりに縫い付けた細紐レース穴に通し接合することにより、取替えが簡便でかつ着崩れしない衿元を構成する。上記では複数のボタンを芯に取り付けた例を示したが、これらのボタンは芯カバーに直接取り付けてもよい。
【００１０】  前記付け袖は、滑りの良い繊維の生地を使用し、肩口に複数のボタンを取り付け、前記Ｔシャツの袖の細紐レースの一列の穴にボタンを通して接合する。このとき使用する細紐レースの列を違えることにより、裄の長さを好みに調整することができる。
【００１１】  前記巻きスカートは、滑りの良い繊維の生地を使用し、胴部にあたる上辺にスカート紐を縫い付けたスカート主生地に内側布を挟んで筒状に縫った形状で、内側布を挟んで主生地の左右をＺ字状に重ね合わせた胴部にスカート紐を巻きつけて結び装着する。巻きスカート単体で洋装用スカート、あるいは前記Ｔシャツと組み合わせることにより洋装用スーツとして使用でき、また前記Ｔシャツと前記半衿及び前記付け袖と組み合わせることにより和装長襦袢を構成することができる。
【００１２】  このように和装洋装を兼用するために前記Ｔシャツと前記付け袖及び前記巻きスカートは、全体としてコーディネートしたプリントなどの色柄を配し、前記Ｔシャツは前述した生地で身体にフィットし、前記付け袖と前記巻きスカートは滑りの良いセルロース繊維の生地を用いる。
【発明の効果】
【００１３】  前記Ｔシャツ単体、または前記Ｔシャツと前記巻きスカートのセットで洋装として着用できるとともに、前記Ｔシャツに前記半衿と前記付け袖を装着して、更に前記巻きスカートを裾除けとして着用すれば、和装用長襦袢としても使うことができる。
【００１４】  長襦袢としての着用時には胸紐、伊達締め等を用いずに端整な着姿を保持し着崩れがないため、初心者でも着易く、日常的な使用にも煩雑さを解消できる。また、肌着が省略でき手軽に着用できるとともに、身動きもしやすい。
【００１５】  また、前記Ｔシャツ、前記半衿、前記付け袖、及び前記巻きスカートは、パーツごとに洗濯することができ、干しやすく、手入れが簡単になる。例えば、特に汗で汚れやすいＴシャツや半衿を個別に手入れできる。
【００１６】  前記巻きスカートは、キュプラなどのセルロースからなる繊維を用いているため、静電気が発生せず滑りが良く着易い。また従来の和装用裾除けでは、主生地の上部に汗対策として綿やさらし布からなる腰布を用いているが、本発明の巻きスカートは植物セルロースからなる繊維を主生地に用いているため腰布は不用で構造が簡単である。従来の洋装用巻きスカートでは着用する人の体型、即ち腰まわりや裾丈の寸法にフィットしたものが必要であったが、本発明の巻きスカートでは構造的に体型への自由度があり、着る人の体型の変化に余り左右されることなく着用することができる。
【００１７】  前記Ｔシャツ、前記付け袖、及び前記巻きスカートの色柄は全体としてコーディネートしており、おしゃれが楽しめる。もちろん、Ｔシャツと巻きスカートをセットにして外出着としておしゃれを楽しむこともできる。また、長着に合わせた色柄の交換もできる。
【発明を実施するための最良の形態】
【００１８】  本発明に係わるＴシャツの実施例を図１に示す。図１（ａ）は薄手ジャージー生地を用いたＴシャツ１の全体図であり、図１（ｂ）は衿元の点線で囲まれた部分の拡大図を示し、図１（ｃ）は袖の点線で囲まれた部分の拡大図を示す。図１（ａ）の形状は後ろ衿ぐりを深めとし、胸部切り替え線２５から上方は長襦袢の衿の形状と同様に右前身頃２の上に左前身頃３を重ね合わせるとともに、胸部切り替え線２５から下方のＴシャツ胴部４は前後身頃を縫あわせた構成とする。この胸部切り替え線２５より上方の左右身頃は各々薄手の生地との二枚重ねで構成し補正用のパッドが装着できる形状とする。かつ、Ｔシャツ１に色柄を入れて、単体でも洋装用Ｔシャツとして使えるようにする。また、このＴシャツ１の衿ぐり５と袖６には、レース様の細紐７，８を縫い付ける。このレース様細紐の透かし模様は、点線で囲まれた部分図１（ｂ）の衿の拡大図、図１（ｃ）の袖の拡大図に示すように後述する半衿と付け袖を接合する際のボタン穴９，１０となる。その為衿ぐりには１列、袖には数列を配する。このレース様細紐は半衿と付け袖を取り付ける機能だけでなく、洋装時の装飾デザインも兼ねる。【００１９】  本発明に係わる半衿１１の実施例を図２に示す。図２（ａ）は芯カバー１２と半衿芯１３との斜視図であり、図２（ｂ）は芯カバー１２内に半衿芯１３を挿入した状態を示す要部拡大斜視図である。半衿１１は長方向に二つ折りにした生地に数箇所の縫い止まり１４を施し  開きを設けながら筒縫いした芯カバー１２に、帯状のプラスチックなどの半衿芯１３を通した構造とする。帯状の半衿芯１３の長辺の一方には芯カバー１２の縫い止り１４に対応する複数の半衿ボタン１５を取り付ける。縫い止り１４の開きよりボタン１５をそれぞれ取り出し、点線で囲まれた部分図１（ｄ）の拡大図のように前記Ｔシャツ１の衿に縫い付けたレース様細紐７のボタン穴９にボタンを通し  半衿１１を前記Ｔシャツ１に接合する。あるいは芯カバー１２にボタン１５を直接取り付けても良い。こうして体にフィットした衿ぐりを有する前記Ｔシャツ１に半衿１１が固定される為、衿の重なりが保持され着崩れることがない。又、半衿の交換が容易で長着にあわせて簡便にコーディネートできる。【００２０】  本発明に係わる付け袖１６の実施例を図３に示す。図３（ａ）はキュプラなどのセルロース繊維の生地を用いた付け袖１６の全体図であり、図３（ｂ）は付け袖肩口１７の点線で囲まれた部分において  付け袖ボタン１８を用いてＴシャツ１の図１（ｃ）に示すボタン穴１０に接合した状態を示す要部拡大斜視図である。付け袖１６の付け袖肩口１７には、Ｔシャツ１の袖６のレース様細紐７，８に接合できるように  付け袖肩口１７の裏側に複数のボタン１８を取り付ける。こうして裏側から図３（ｂ）のようにレース様細紐７のボタン穴１０に接合する為  接合部分が付け袖肩口１７の裏側に隠れ目立たない。又、取り付けるレース様細紐の列を変えることにより  裄の長さが好みに調節できる。【００２１】  本発明に係わる巻きスカート１９の実施例を図４に示す。図４（ａ）はキュプラなどのセルロース繊維の生地を用いた巻きスカート１９の全体図であり、図４（ｂ）は着用状態を示す正面図で���る。巻きスカート１９はスカート主生地２０と内側布２１とスカート紐２２で構成し、主生地２０の胴部にあたる上辺にスカート紐２２を縫い付け、内側布２１のａ、ａ’を主生地２０の右縦辺に、ｂ、ｂ’を左縦辺に縫い付け筒状とする。内側布２１を挟んで主生地２０の左右をうち合わせＺ字状に重ねた胴部にスカート紐２２を巻付けて結び装着する。内側布２１により歩行時に裾のはだけるのを防ぎ洋装時の着装を端整にする。スカート主生地２０と内側布２１には静電気が発生せず滑りの良いキュプラなどのセルロース繊維の生地を用い、色柄を配して単体あるいは前記Ｔシャツ１との組み合わせにより洋装用として使用できる。又、前記Ｔシャツ１、前記半衿１１、前記付け袖１６と合わせて着用することにより  和装用長襦袢として使用できる。スカート紐２２を胴に巻く位置を調節することにより身長に合わせた着丈で着装でき、また、主生地２０のうち合わせの深さにより着用者の胴回りに合ったサイズで着装できる自由度がある。【００２２】  上記のＴシャツ１、付け袖１６、巻きスカート１９の色柄については、Ｔシャツ単体、巻きスカート単体、あるいはＴシャツと巻きスカートのセットでスーツとして利用できるように  全体としてコーディネートする。【００２３】  本発明に係わる長襦袢の実施例を図５に示す。長襦袢２３はＴシャツ１、半衿１１、付け袖１６、巻きスカート１９で構成する。このＴシャツ１の図１（ｄ）に示す衿ぐり５に付けたレース様細紐７のボタン穴９に半衿ボタン１５を嵌めるとともに、図３（ｂ）に示すＴシャツ１の袖６に付けたレース様細紐８のボタン穴１０に付け袖ボタン１８を嵌めてＴシャツ１に半衿１１と付け袖１６をそれぞれ接合して一体とし、更に巻きスカート１９を着用することにより  長襦袢として着ることができる。【００２４】  本発明に係わる洋装時の実施例を図６に示す。Ｔシャツ１と巻きスカート１９のセットでスーツ２４として着用する。また、洋装用として使用できる色柄を有している為、図１（ａ）のようにＴシャツ１単体でも、図４（ｂ）のように巻きスカート１９単体でも洋装用の他の品目と組み合わせての着用が可能である。
【図面の簡単な説明】
【００２５】
【図１】Ｔシャツの全体図と部分拡大図
【図２】半衿となる芯カバーと半衿芯との部分拡大図
【図３】付け袖の全体図と部分拡大図
【図４】巻きスカートの全体図と着用正面図
【図５】長襦袢の全体図
【図６】洋装用スーツの全体図
【符号の説明】
【００２６】１  Ｔシャツ
２  右身頃
３  左身頃
４  Ｔシャツ胴部
５  Ｔシャツ衿ぐり
６  Ｔシャツ袖
７，８  レース様細紐
９，１０  ボタン穴
１１  半衿
１２  芯カバー
１３  半衿芯
１４  半衿ボタン取り出し用縫い止まり
１５  半衿ボタン
１６  付け袖
１７  付け袖肩口
１８  付け袖ボタン
１９  巻きスカート
２０  スカート主生地
２１  内側布
２２  スカート紐
２３  長襦袢
２４  洋装用スーツ
２５  胸部切り替え線
【図１】
2006312801.tif 000003
【図２】
2006312801.tif 000004
【図３】
2006312801.tif 000005
【図４】
2006312801.tif 000006
【図５】
2006312801.tif 000007
【図６】
2006312801.tif 000008